(57)【要約】【課題】パイプを通して空気を搬送する換気装置において、送風効率の向上を目的とする。【解決手段】室外２と室内３を連通して設けられたパイプ４内に設置され、枠体のフレーム５と、前記フレーム５内に設けられたファン６と、前記フレーム５内で前記ファン６の下流側に設けられ前記ファン６を回転させるモータ７と、前記モータ７の下流側に装着されたモータカバー８を備え、前記モータ７の下流側中央部の負圧領域に気流を誘導する気流誘導手段９を持つという構成にしたことにより、モータの下流側中央部に気流を誘導することで負圧領域を小さくし発生する渦を小さくすることができ、送風効率の向上を可能とした換気装置を得られる。【選択図】図１
2013088023.tif 000002
【特許請求の範囲】
【請求項１】
室外と室内を連通するパイプ内に設けられる換気装置であって、
枠体のフレームと、
前記フレーム内に設けられたファンと、
前記フレーム内で前記ファンの下流側に設けられ前記ファンを回転させるモータと、
前記モータの下流側に装着されたモータカバーを備え、
前記モータの下流側中央部の負圧領域に気流を誘導する気流誘導手段を設けたことを特徴とする換気装置。
【請求項２】
気流誘導手段は、前記モータカバーに設けた風向板である請求項１に記載の換気装置。
【請求項３】
前記風向板の外形がリング形状である請求項２に記載の換気装置。
【請求項４】
前記風向板の断面形状が翼形状である請求項２に記載の換気装置。
【請求項５】
前記モータカバーと前記風向板によって作られる隙間がノズル形状である請求項２または３に記載の換気装置。
【請求項６】
前記モータカバーの下流側になめらかに接続された略円錐状のカバーをもつ請求項１に記載の換気装置。
【発明の詳細な説明】
【技術分野】
【０００１】
本発明は、パイプ内に挿着され、パイプを通して空気を搬送し、室内の空気を室外に排出する換気装置に関するものである。
【背景技術】
【０００２】
従来、この種の換気装置は、フレームに取付けられたモータにファンを取付けた換気装置が知られている（例えば、特許文献１参照）。
【０００３】
以下、その換気装置について図３を参照しながら説明する。
【０００４】
図３に示すように、換気装置の本体１０１はフレーム１０２内にモータ１０３とモータ１０３によって回転させられるファン１０４を備えており、室内１０５と室外１０６を連通して設けられたパイプ１０７内に挿着されることにより、パイプ１０７を通して室内１０５の空気を室外１０６へ排出するものである。
【先行技術文献】
【特許文献】
【０００５】
【特許文献１】特開２００８−２０９０９０号公報（第７頁、第１図）
【発明の概要】
【発明が解決しようとする課題】
【０００６】
このような従来の換気装置においては、ファンの下流側にモータを備えた構成となっていたので、モータによって流れが妨げられ、パイプの外周側だけを空気が流れる。その際、モータの下流側中央部は負圧領域（図３のＡ）となり、パイプの外周側との圧力差により大きな渦が発生する。この渦により、送風効率が低下するという課題を有していた。
【０００７】
そこで本発明は、上記従来の課題を解決するものであり、モータの下流側中央部で発生する渦を小さくし送風効率の向上を可能とした換気装置を提供することを目的とする。
【課題を解決するための手段】
【０００８】
そして、この目的を達成するために、本発明は、室外と室内を連通するパイプ内に設けられる換気装置で、枠体のフレームと、前記フレーム内に設けられたファンと、前記フレーム内で前記ファンの下流側に設けられ前記ファンを回転させるモータと、前記モータの下流側に装着されたモータカバーを備え、前記モータの下流側中央部に気流を誘導する気流誘導手段を持つ換気装置であり、これにより所期の目的を達成するものである。
【発明の効果】
【０００９】
本発明によれば、室外と室内を連通して設けられたパイプに設けられる換気装置で、フレームと、前記フレーム内に設けられたファンと、前記フレーム内で前記ファンの下流側に設けられ前記ファンを回転させるモータと、前記モータの下流側に装着されたモータカバーを備え、前記モータの下流側中央部に気流を誘導する気流誘導手段を持つ構成にしたことにより、モータの下流側中央部の負圧領域に気流を誘導することで負圧領域を小さくし発生する渦を小さくすることができ、送風効率の向上を可能にするという効果を得ることができる。
【図面の簡単な説明】
【００１０】
【図１】本発明の実施の形態１の換気装置を示す構成図
【図２】本発明の実施の形態２の換気装置を示す構成図
【図３】従来の換気装置を示す構成図
【発明を実施するための形態】
【００１１】
本発明の請求項１記載の換気装置は、室外と室内を連通するパイプ内に設けられる換気装置で、枠体のフレームと、前記フレーム内に設けられたファンと、前記フレーム内で前記ファンの下流側に設けられ前記ファンを回転させるモータと、前記モータの下流側に装着されたモータカバーを備え、前記モータの下流側中央部の負圧領域に気流を誘導する気流誘導手段を持つという構成を有する。これにより、前記モータの下流側中央部に気流が誘導されることで、負圧領域が小さくなり発生する渦を小さくできるので、送風効率が向上するという効果を奏する。
【００１２】
また、前記モータカバーに気流誘導手段として風向板を設けるという構成にしてもよい。これにより、前記モータカバーと前記風向板の間を通って気流がモータ下流側中央部へと誘導されることで、負圧領域が小さくなり発生する渦を小さくすることができるので、送風効率が向上するという効果を奏する。
【００１３】
また、前記風向板の外形がリング形状をした構成にしてもよい。これにより、前記風向板の全周において均一的に気流を誘導することができ、モータの下流側中央部の渦の発生を効率よく抑えることができるので、送風効率が向上するという効果を奏する。
【００１４】
また、前記風向板の断面形状を翼型とした構成にしてもよい。これにより、気流を誘導する際、前記風向板からの流れの剥離による渦の発生を抑えることができるので、前記風向板による損失を最小限に抑えることを可能にするという効果を奏する。
【００１５】
また、前記モータカバーと前記風向板によって作られる隙間をノズル形状とした構成にしてもよい。これにより、前記風向板によって誘導される気流が前記モータカバーと前記風向板の隙間を通過する際に加速され、速い流速による誘引効果によってパイプ外周側の流れが誘引され、大風量が前記モータの下流側中央部へ流れるため負圧領域が小さくなり発生する渦を小さくすることができるので、送風効率が向上するという効果を奏する。
【００１６】
また、前記モータカバーの下部になめらかに接続された略円錐状のカバーを持つ構成にしてもよい。これにより、コアンダ効果により前記パイプ外周側の気流が前記モータカバーの下部の略円錐状に沿って流れ、前記モータの下流側中央部へと誘導され、負圧領域が小さくなり発生する渦を小さくすることができるので、送風効率が向上するという効果を奏する。
【００１７】
以下、本発明の実施の形態について図面を参照しながら説明する。
【００１８】
（実施の形態１）
図１に示すように、換気装置１は、室外２と室内３を連通して設けられた円筒状のパイプ４内に設置され、枠体のフレーム５と、前記フレーム５内に設けられたファン６と、前記フレーム５内で前記ファン６の下流側に設けられ前記ファン６を回転させるモータ７と、前記モータ７の下流側に装着されたモータカバー８を備え、前記モータ７の下流側中央部の負圧領域に気流を誘導する気流誘導手段９としてモータカバー８の下流側外周に設けた風向板９ａで構成されている。なお、本実施の形態では、前記パイプ４を円筒状としたが、前記パイプ４は角筒状など前記換気装置１を設置可能なものであれば形状を特に限定するものではない。
【００１９】
上記構成において、前記ファン６が回転することにより前記室内３から前記室外２へ空気が流れる。このとき、前記モータ７を通過する時に前記パイプ４の外周側に寄せられた気流の一部が、前記気流誘導手段９によって前記モータ７の下流側中央部に誘導されることで負圧領域が小さくなり、発生する渦を小さくできるので、送風効率を向上させることが可能になる。
【００２０】
また、前記モータカバー８に前記気流誘導手段９として風向板９ａを設けるという構成にすることで、前記モータカバー８と前記風向板９ａの間を通って気流が前記モータ７の下流側中央部へと誘導されることで、負圧領域が小さくなり発生する渦を小さくすることができるので、送風効率が向上する。
【００２１】
また、前記風向板９ａの外形がリング形状をした構成にすることで、前記風向板９ａの全周において均一的に気流を誘導することができ、前記モータ７の下流側中央部の渦の発生を効率よく抑えることができるので、送風効率が向上する。なお、本実施の形態では、前記風向板９ａの外形をリング形状としたが、板状の風向板を１つもしくは複数設けるという構成にしても良い。
【００２２】
また、前記風向板９ａの断面形状を翼型とした構成にすることで、気流を誘導する際、前記風向板９ａからの流れの剥離による渦の発生を抑えることができるので、前記風向板９ａによる損失を最小限に抑えることができる。なお、本実施の形態では、前記風向板９ａの断面形状を翼型としたが、長方形など気流を誘導できるものであれば形状を特に限定するものではない。
【００２３】
また、前記モータカバー８と前記風向板９ａによって作られる隙間をノズル形状とした構成にすることで、前記風向板９ａによって誘導される気流が前記モータカバー８と前記風向板９ａの隙間を通過する際に加速され、速い流速による誘引効果によってパイプ４の外周側の流れが誘引され、大風量が前記モータ７の下流側中央部へ流れるため負圧領域が小さくなり発生する渦を小さくすることができるので、送風効率が向上する。
【００２４】
（実施の形態２）
図２示すように、気流誘導手段９の形状をモータカバー８の下流側になめらかに接続された略円錐状カバー９ｂを持つ形状にすることで、コアンダ効果により前記パイプ４の外周側の気流が前記モータカバー８の下部の前記略円錐状カバー９ｂに沿って流れ、前記モータ７の下流側中央部へと誘導され、負圧領域が小さくなり発生する渦を小さくすることができるので、送風効率が向上する。
【産業上の利用可能性】
【００２５】
本発明にかかる換気装置は、モータの下流側中央部の負圧領域に気流を誘導することで負圧領域を小さくし発生する渦を小さくすることを可能とするものであるので、パイプ内に挿着され、パイプを通して空気を搬送する換気装置、送風装置等として有用である。
【符号の説明】
【００２６】
１      換気装置
２      室外
３      室内
４      パイプ
５      フレーム
６      ファン
７      モータ
８      モータカバー
９      気流誘導手段
９ａ    風向板
９ｂ    略円錐状カバー
１０１  本体
１０２  フレーム
１０３  モータ
１０４  ファン
１０５  室内
１０６  室外
１０７  パイプ
【図１】
2013088023.tif 000003
【図２】
2013088023.tif 000004
【図３】
2013088023.tif 000005